(57)【特許請求の範囲】
【請求項１】
ＬＥＤを光源とし、壁に設置されるＬＥＤ照明器具であって、
前記ＬＥＤ照明器具の長手方向に沿って配置された複数のＬＥＤからなる第１ＬＥＤ群と、
前記第１ＬＥＤ群に引き続いて前記長手方向に沿って配置された複数のＬＥＤからなる第２ＬＥＤ群と、
前記第１ＬＥＤ群と、前記第２ＬＥＤ群との間に配置され、人の存在を検出すると検出信号を出力する人感センサーと、
前記第１ＬＥＤ群と、前記第２ＬＥＤ群とを点灯させるＬＥＤ点灯装置と、
前記人感センサーからの検出信号に応じて前記ＬＥＤ点灯装置を制御することで、前記ＬＥＤ点灯装置を介して前記ＬＥＤ群の点灯状態を制御する点灯状態制御装置と
を備え、
前記人感センサーは、第一のセンサーと第二のセンサーとを備え、
前記第一のセンサーは、前記ＬＥＤ照明器具が壁に配置された状態で、前記第二のセンサーよりも下向き方向の検出感度が高く、
前記第二のセンサーは、前記ＬＥＤ照明器具が壁に配置された状態で、前記第一のセンサーよりも上向き方向の検出感度が高く、
前記点灯状態制御装置は、
前記第一のセンサーの検出信号に応じて前記ＬＥＤ点灯装置を介して前記第１ＬＥＤ群の点灯状態を制御し、前記第二のセンサーの検出信号に応じて前記ＬＥＤ点灯装置を介して前記第２ＬＥＤ群の点灯状態を制御することを特徴とするＬＥＤ照明器具。
【請求項２】
前記ＬＥＤ照明器具は、
前面を有し、
前記第１ＬＥＤ群と、前記第２ＬＥＤ群と、前記第一のセンサーと、前記第二のセンサーとは、
前記前面に配置されると共に、
前記第一のセンサーと前記第二のセンサーとは、
前記前面の前記長手方向において、略中央に配置され、
前記ＬＥＤ照明器具は、上の階への階段と、下の階への階段とが接続する踊り場に設けられた壁に設置され、
前記第一のセンサーは、前記ＬＥＤ照明器具が壁に配置された状態で、下の階への階段の方向の検出感度が前記第二のセンサーよりも高く、
前記第二のセンサーは、前記ＬＥＤ照明器具が壁に配置された状態で、上の階への階段の方向の検出感度が前記第一のセンサーよりも高く、
前記第１ＬＥＤ群は、前記第２ＬＥＤ群よりも下の階への階段の方向を多く照射し、
前記第２ＬＥＤ群は、前記第１ＬＥＤ群よりも上の階への階段の方向を多く照射する請求項１に記載のＬＥＤ照明器具。
【請求項３】
前記第１ＬＥＤ群と前記第２ＬＥＤ群とのそれぞれは、
複数個のＬＥＤが基板上に実装されたＬＥＤモジュールとして構成され、
前記第一のセンサーと前記第二のセンサーとは、
前記第１ＬＥＤ群の前記ＬＥＤモジュールと、前記第２ＬＥＤ群の前記ＬＥＤモジュールとの間に配置されたことを特徴とする請求項１または請求項２に記載のＬＥＤ照明器具。
【請求項４】
前記第１ＬＥＤ群と前記第２ＬＥＤ群とは、
いずれも、前面が不燃性の透光材で覆われたことを特徴とする請求項１〜３のいずれか一項に記載のＬＥＤ照明器具。
【請求項５】
前記人感センサーは、
パッシブ型のセンサーであることを特徴とした請求項１〜４のいずれか一項に記載のＬＥＤ照明器具。
【発明の詳細な説明】
【技術分野】
【０００１】
この発明は、人感センサーを備えたＬＥＤ照明器具に関する。
【背景技術】
【０００２】
階段用の照明器具として、蛍光灯の両端部付近にセンサーを配設し、人を検知して点灯および減光または消灯させる器具がある（例えば、特許文献１）。また、光源と、送信波の対象物からの返信波により動体を検知するセンサーと、センサーによる検知信号に基づき光源の点灯制御を行う制御部とを備えて、通路にいる人を検知して光源を点灯または消灯させるセンサー付照明器具がある（例えば、特許文献２）。
【先行技術文献】
【特許文献】
【０００３】
【特許文献１】特開平９−３０４５４８号公報（図９）
【特許文献２】特開２００９−２６４９１６号公報
【発明の概要】
【発明が解決しようとする課題】
【０００４】
特許文献１の構成の場合、蛍光灯などの光源を前提としているため、光源と同一直線状にセンサーを配置する場合、器具端部に配置せざるを得なかった。そのため、器具の左右端部にセンサーが設置されている為、見栄えがよくなかった。また、器具の端部にセンサーが設置されている為、物にあたりやすく、破損しやすかった。また、左右それぞれのセンサーについて、検出範囲の調整が必要であった。また、器具中央部にセンサーを配置する場合は、光源を避け、器具上部、もしくは器具下部よりにセンサーを配置する必要があった。それによって、器具の外形が大きくなってしまっていた。
【０００５】
また、特許文献２の構成の場合は、アクティブセンサーを使用することにより、器具の死角となる箇所に人が存在していても照明器具が点灯する（照明器具により照射される範囲と、人の検知範囲が異なっている）。その為、本来点灯する必要のない場合にも点灯してしまうといった課題があった。
【０００６】
本発明は、照明器具の外観を損なわず、センサー破損のおそれが少なく、またセンサー検出範囲の調整不要なＬＥＤ照明装置の提供を目的とする。
【課題を解決するための手段】
【０００７】
この発明のＬＥＤ照明器具は、
ＬＥＤを光源とするＬＥＤ照明器具において、
前記ＬＥＤ照明器具の長手方向に沿って配置された複数のＬＥＤからなる第１ＬＥＤ群と、
前記第１ＬＥＤ群に引き続いて前記長手方向に沿って配置された複数のＬＥＤからなる第２ＬＥＤ群と、
前記第１ＬＥＤ群と、前記第２ＬＥＤ群との間に配置され、人の存在を検出すると検出信号を出力する人感センサーと、
前記第１ＬＥＤ群と、前記第２ＬＥＤ群とを点灯させるＬＥＤ点灯装置と、
前記人感センサーからの検出信号に応じて前記ＬＥＤ点灯装置を制御することで、前記ＬＥＤ点灯装置を介して前記ＬＥＤ群の点灯状態を制御する点灯状態制御装置と
を備えたことを特徴とする。
【発明の効果】
【０００８】
本発明によれば、照明器具の外観を損なわず、センサー破損のおそれが少なく、またセンサー検出範囲の調整不要なＬＥＤ照明装置を提供できる。
【図面の簡単な説明】
【０００９】
【図１】実施の形態１の照明器具１０１１の正面図および上面図。
【図２】実施の形態１の照明器具１０１１の器具本体部１１の正面図および側面図。
【図３】実施の形態１の照明器具１０１１のカバー部１２の正面図および側面図。
【図４】実施の形態１の照明器具１０１２の正面図および上面図。
【図５】実施の形態１の照明器具１０１２を階段室に配置した場合の実施例１を示す図。
【図６】実施の形態１の照明器具１０１２を階段室に配置した場合の実施例２を示す図。
【図７】実施の形態２の照明器具１０２０の正面図。
【図８】実施の形態２の照明器具１０２０を階段室に配置した例を示す図。
【図９】実施の形態３の照明器具１０３０の正面図および上面図。
【図１０】実施の形態３の照明器具１０３０の点灯状態を示す正面図。
【図１１】実施の形態３の照明器具１０３０を階段室に配置した例を示す図。
【図１２】実施の形態４の照明器具１０４０の断面図。
【図１３】実施の形態４の照明器具１０４０を階段室に配置した例を示す図。
【発明を実施するための形態】
【００１０】
実施の形態１．
図１は、実施の形態１を示す照明器具１０１１の正面図（図１（ａ））および上面図（図１（ｂ））である。
図２は、照明器具１０１１の器具本体部１１を示す正面図（図２（ａ））および側面図（図２（ｂ））である。
図３は、照明器具１０１１のカバー部１２を示す、正面図（図３（ａ））、側面図（図３（ｂ））、Ａ−Ａ断面図（図３（ｃ））、Ｂ−Ｂ断面図（図３（ｄ））である。
【００１１】
照明器具１０１１は、図２に示す器具本体部１１と、器具本体部１１に取り付けられる、図３に示すカバー部１２とからなる。以下に説明する照明器具１０１１、１０１２，１０２０、１０３０、１０４０はＬＥＤを用いたＬＥＤ照明器具であるが、単に照明器具と称する。
【００１２】
図１に示すように、照明器具１０１１は、照明器具１０１１の長手方向（Ｘ方向）に沿って配置された複数のＬＥＤ２１からなる第一のＬＥＤモジュール２０ａ（単にＬＥＤモジュール２０ａともいう）（第１ＬＥＤ群）と、ＬＥＤモジュール２０ａに引き続いて長手方向に沿って配置された複数のＬＥＤからなる第二のＬＥＤモジュール２０ｂ（単にＬＥＤモジュール２０ｂともいう）（第２ＬＥＤ群）と、ＬＥＤモジュール２０ａと、ＬＥＤモジュール２０ｂとの間に配置され、人の存在を検出すると検出信号を出力するセンサー４とを備えている。また、詳細は後述するが、照明器具１０１１は、ＬＥＤモジュール２０ａ、ＬＥＤモジュール２０ｂを点灯させるＬＥＤ点灯装置１１ｂと、センサー４からの検出信号に応じてＬＥＤ点灯装置１１ｂを制御することで、ＬＥＤ点灯装置１１ｂを介してＬＥＤモジュールの点灯状態を制御する点灯状態制御装置１１ｄとを備えている。また、図１に示すように、照明器具１０１１は、前面１２−１を有し、前面１２−１には、ＬＥＤモジュール２０ａ、ＬＥＤモジュール２０ｂ、センサー４が配置される。また、センサー４は、図１（ｂ）に示すように、前面１２−１の長手方向において、略中央に配置される。
【００１３】
（器具本体部１１）
図２に示すように、器具本体部１１は、
（１）底面１１ａ−４が長方形の形状の器具本体１１ａと、
（２）器具本体１１ａに取り付けられる電源端子台１１ｃと、
（３）電源端子台１１ｃに電線を介して電気的に接続されるとともに、器具本体１１ａに取り付けられるＬＥＤ点灯装置１１ｂと、
（４）電源端子台１１ｃに電線を介して電気的に接続されるとともに、ＬＥＤ点灯装置１１ｂに電線を介して電気的に接続され、器具本体１１ａに取り付けられる点灯状態制御装置１１ｄとを有する。
【００１４】
（器具本体１１ａ）
器具本体１１ａは、
（１）底面１１ａ−４のほぼ中央部に設けられる電源穴１１ａ−１と、
（２）底面１１ａ−４の長手方向の両端側にそれぞれ設けられる取付穴１１ａ−２と、
（３）器具本体１１ａの両端に設けられ、カバー部１２を固定するためのカバー取付用穴１１ａ−３とを有する。
電源穴１１ａ−１は、外部から器具本体部１１の内部に電線を引き込むための穴である。取付穴１１ａ−２は、天井や壁面などに器具本体部１１を取り付けるための穴である。
【００１５】
（ＬＥＤ点灯装置１１ｂ）
ＬＥＤ点灯装置１１ｂは、出力側に、後述するＬＥＤモジュール２０を接続するためのＬＥＤ用出力コネクタ１１ｂ−１を有する。
【００１６】
（点灯状態制御装置１１ｄ）
点灯状態制御装置１１ｄは、入力側に後述するセンサー４を接続するためのセンサー入力コネクタ１１ｄ−１を有する。
【００１７】
（カバー部１２）
カバー部１２は、
（１）一面が開口する開口面１２ａ−１を有する箱状をなすカバー１２ａと、
（２）カバー１２ａの開口面１２ａ−１に対向する面に取り付けられる２つのＬＥＤモジュール２０ａ，２０ｂと、
（３）ＬＥＤモジュール２０とカバー１２ａとの間に介在する反射板１２ｂ（図３（ｃ））と、
（４）２つのＬＥＤモジュール２０ａ，２０ｂの間に設けられるセンサー４と、
（５）センサー４をカバー１２ａに固定するセンサー取付金具１２ｃ（図３（ｄ））とを有する。
【００１８】
（ＬＥＤモジュール２０）
ＬＥＤモジュール２０は、複数（１３個）のＬＥＤ２１と、この１３個のＬＥＤ２１が実装される基板２２（図示していない）からなる。なお、ＬＥＤモジュール２０ａ，２０ｂの区別の必要がない場合には、ＬＥＤモジュール２０と表記する。ＬＥＤモジュール２０は、ＬＥＤ用出力コネクタ１１ｂ−１と接続するＬＥＤ用入力コネクタ２０−１を有する。
【００１９】
（センサー）
センサー４は、センサー入力コネクタ１１ｄ−１と接続するセンサー出力コネクタ４−１を有する。センサー４は、赤外線受動センサー、受動型センサー、熱線センサー、人感センサー、などと呼ばれ、人体表面から放出される赤外線を受信し、人を検出する（背景と人体の赤外線エネルギーの差（温度の差）を調べる）パッシブ型のセンサーである。パッシブ型のセンサー４は、センサー４から見通しがきく範囲に人の存在があった場合に反応するものである。センサーには、アクティブ型のセンサーもある。アクティブ型のセンサーは自ら電波等を発信することで、見通しのきかない範囲においても検知が可能となる。しかし、実施の形態１の照明器具１０１１でアクティブ型のセンサーを用いると、照明器具１０１１の照射範囲外に人がいる場合にもＬＥＤが不必要に点灯してしまう為、アクティブ型のセンサーは適していない。
【００２０】
（ＬＥＤ点灯装置１１ｂ）
ＬＥＤ点灯装置１１ｂは、後述する点灯状態制御装置１１ｄからの点灯信号・調光信号・消灯信号（合わせて、以下点灯状態制御信号という）に基づいて、ＬＥＤモジュール２０に搭載されているＬＥＤ２１に電力を供給する。
【００２１】
（点灯状態制御装置１１ｄ）
点灯状態制御装置１１ｄは、センサー４に電力を供給するとともに、センサー４からの検出信号（人検知信号）を入力し、この検出信号に基づいて、ＬＥＤ点灯装置１１ｂに点灯するよう点灯信号を出力する。また、点灯状態制御装置１１ｄは、内部にタイマを有しており、検出信号が途絶えてから所定時間経過すると、ＬＥＤ点灯装置１１ｂに調光させるまたは消灯させる調光・消灯信号を出力する。
【００２２】
点灯状態制御装置１１ｄは、センサー４から出力される検出信号により、ＬＥＤ点灯装置１１ｂを制御し、ＬＥＤ点灯装置１１ｂを介してＬＥＤ２１の点灯状態を制御する。
【００２３】
（反射板１２ｂ）
図３（ｃ）に示す反射板１２ｂは、ＬＥＤ２１から発せられる光を制御し、所定の方向へ光を照射させる機能をもつ。この反射板１２ｂは白色でもよいし、鏡面としてもよい。鏡面にした場合は白色の場合と比較してより照射方向を制御することが可能となる。
【００２４】
この実施の形態１では、１３個のＬＥＤ２１が基板２２に実装されるＬＥＤモジュール２０を説明したが、基板２２に実装されるＬＥＤ２１の個数はこれに限定されない。また、実施の形態１では、センサー４とＬＥＤモジュール２０が別体である場合について説明したが、ＬＥＤモジュール２０の基板２２にセンサー４を実装しても構わない。
【００２５】
（照明器具１０１２）
図４は、ＬＥＤ光源カバー５を有する照明器具１０１２を示す図である。図４（ａ）は、照明器具１０１２の正面図であり、図４（ｂ）は、上面図である。照明器具１０１２のように、ＬＥＤモジュール２０の正面にＬＥＤ光源カバー５を設けてもよい。このＬＥＤ光源カバー５は、例えば、ガラス等の透光性を有する不燃材を用いるとよい。これは、非常用照明器具は建築基準法によって、「照明器具の外郭部材が不燃材であること」と定められている。このため、ＬＥＤ２１をそのまま露出した場合、不燃材で構成されていないＬＥＤを用いることはできない。そこで、不燃材で構成されていないＬＥＤを使用する際にはガラス等の透光性を有する不燃材を用いることで建築基準法に規定されている外郭に関する要件をみたすことが可能となる。
【００２６】
＜実施例１＞
図５は、照明器具１０１２を階段室に配置した場合の＜実施例１＞を示す図である。実施の形態１の照明器具１０１２を、非常用照明器具として階段に設置するときの設置環境（条件）、設置後の照明器具の機能ならびに動作について説明する。実際に階段室にとりつけられた時の動作を、踊り場の壁面に照明器具１０１２をとりつけた場合について、図５に基づき説明する。なお、図５は、上階へ向かう階段３１と下階へ向かう階段３２が隣接している場合である。
【００２７】
照明器具１０１２の照射範囲は、図５に示す矢印までの範囲が非常点灯時に２ｌｘを確保できる範囲とする。センサー４の検知範囲は２ｌｘを確保できる範囲と同等もしくはさらに大きいものとする。
【００２８】
ここで、階段室に設置される照明器具１０１２（非常灯もしくは階段通路誘導灯）について説明をする。建築基準法、または消防法において、階段室には非常時に非常電源を用いて点灯可能な照明器具の設置が義務付けられている。非常用照明器具の設置は、その照明器具が非常電源を用いて点灯した場合、階段室の床面照度が１ｌｘ以上とするよう定められている。なお、蛍光灯の場合は２ｌｘが必要とされている。
【００２９】
そのため、照明器具１０１２が非常用照明器具として階段室に設置される場合には、非常点灯時に１ｌｘ以上（または２ｌｘ以上）確保できるように配置する。
【００３０】
このことから、２ｌｘ（または１ｌｘ）の照射範囲と同等もしくはそれより大きな範囲をセンサー４の感知範囲とすることにより、階段室に人が入ってきた場合に階段室に設置されているいずれかの照明器具１０１２が人を検知し、点灯もしくは調光することとなる。また、２つの照明器具１０１２から照射される光が重なって２ｌｘ（または１ｌｘ）を確保している場所は、階段の中間となる為、センサー４の感知範囲となっていなくても問題とならない（検知範囲を通過して、非検知範囲に差し掛かる為）。なお、点灯後の消灯もしくは調光は、検知範囲から人がいなくなってから所定の時間（たとえば５分等、設定を変更できる様にしてもよい。）を経過後に行われればよい。
【００３１】
ここでＬＥＤ２１の特性について説明する。ＬＥＤ２１は、温度が上がると光出力が低下する特性を有している。その為、非常用照明器具にて使用する場合は火災等を想定し、周囲温度があがることを想定すると２ｌｘ以上の設計照度とすることが望ましい。
【００３２】
以上では、点灯状態制御装置１１ｄは、検出信号を出力するセンサー４に対して点灯させるＬＥＤモジュールが、ＬＥＤモジュール２０ａ，２０ｂと予め設定されている。そして、センサー４に対して設定されているＬＥＤモジュール２０ａ，２０ｂとは、照明器具１０１２が階段室（所定の場所）に設定された場合に、所定の範囲を２ｌｘ（所定の照度）以上で照射する。そして、ＬＥＤモジュール２０ａ，２０ｂの点灯の元となる検出信号を出力するセンサー４は、ＬＥＤモジュール２０ａ，２０ｂが照射する所定の範囲以上の範囲に存在する人を検知可能である。
【００３３】
＜実施例２＞
図６は、照明器具１０１２を階段室に配置した場合の＜実施例２＞を示す図である。階段室において、上階へ向かう階段３１と、下階へ向かう階段３２が離れている場合（照明器具１０１２を複数設置する場合）について、図６を用いて説明する。
【００３４】
図６の＜実施例２＞の階段室の設置例の場合は、図６に示すように、２ｌｘを確保する為には、上階へ向かう階段３１、下階へ向かう階段３２のそれぞれに対応して照明器具１０１２が取り付けられることが想定される。そのため、照明器具１０１２の中央のみにセンサー４がある場合においても、検知範囲が不足となることはない。このような場合に特許文献１に記載の器具を使用した場合、センサーが器具の両端に取り付けられているので、本来センサーが２個必要でない場合においても、おのずと２個のセンサーを使用することとなり、それぞれのセンサーの調整作業が必要となる。
【００３５】
実施の形態２．
図７は、実施の形態２を示す照明器具１０２０の正面図である。照明器具１０２０は、ＬＥＤモジュール２０ｂ（第２ＬＥＤ群）に引き続いて長手方向に沿って順次隣接して配置されるＬＥＤモジュール２０ｃ、２０ｄを有する。第２のセンサー４ｂは、ＬＥＤモジュール２０ｃとＬＥＤモジュール２０ｄとの間に配置されている。点灯状態制御装置１１ｄは、第一のセンサー４ａ（単にセンサー４ａともいう）及び第二のセンサー４ｂ（単にセンサー４ｂともいう）の検出信号に応じてＬＥＤ点灯装置ｂを制御する。例えば、図７の場合、点灯状態制御装置１１ｄは、センサー４ａが人を検知した場合、ＬＥＤモジュール２０ａ，２０ｂを点灯させ、センサー４ｂが人を検知した場合、ＬＥＤモジュール２０ｃ，２０ｄを点灯させる。あるいは、センサー４ａ、４ｂの少なくともいずれかが人を検知した場合に、ＬＥＤモジュール全部を点灯させてもよい。このように点灯状態制御装置１１ｄは、検出信号を出力する複数のセンサー４の違いに応じてＬＥＤモジュールを選択し、選択したＬＥＤモジュールを点灯制御する。また、第２センサー４ｂは、ＬＥＤモジュール２０ｃ，２０ｄの間に配置されているが、中央部分のＬＥＤモジュール２０ｂ，２０ｃの間に配置されてもよい。各センサーの配置される位置は限定されない。
【００３６】
実施の形態２の照明器具１０２０は、実施の形態１の照明器具１０１２を光源（ＬＥＤモジュール）の配置方向に延長し、センサー４の取り付け箇所を器具中央から、照明器具１０２０の中心軸３３に対し、２箇所対称に取り付けたものである。
【００３７】
図８は、実施の形態２の照明器具１０２０を階段室に取り付けた状態を表す図である。
【００３８】
＜実施例２＞で説明した、図６のような階段室の場合、実施の形態１の照明器具１０１２を用いる場合は２台の照明器具１０１２が必要になるが、実施の形態２の照明器具１０２０の場合は、図８に示すように、設置台数が１台で２ｌｘを確保することが可能となる。階段室の幅がさらに広くなった場合でも、ＬＥＤ２１およびセンサー４を適宜増減することにより柔軟に対応することが可能となる。
【００３９】
実施の形態３．
図９は、実施の形態３を示す照明器具１０３０の正面図（図９（ａ））および上面図（図９（ｂ））である。
【００４０】
実施の形態３の照明器具１０３０は、実施の形態１の照明器具１０１２の中央に設置されたセンサーを２個としたものである。すなわち、図９に示すように、照明器具１０３０は、ＬＥＤモジュール２０ａ（第１ＬＥＤ群）とＬＥＤモジュール２０ｂ（第２ＬＥＤ群）との間に、検知範囲の異なる２個（複数個）のセンサー４ａ，４ｂが配置された構成である。点灯状態制御装置１１ｄは、センサー４ａ，４ｂの検出信号に応じてＬＥＤ点灯装置１１ｂを制御する。
【００４１】
図９（ａ）に示すように、照明器具１０３０は、
（１）第一のＬＥＤモジュール２０ａと、
（２）第二のＬＥＤモジュール２０ｂと、
（３）第一のＬＥＤモジュール２０ａと第二のＬＥＤモジュール２０ｂとの間に設けられる、第一のセンサー４ａ及び第二のセンサー４ｂとを備える。
第一のＬＥＤモジュール２０ａ、第二のＬＥＤモジュール２０ｂの点灯制御は独立して行われる。点灯状態制御装置１１ｄは、第一のセンサー４ａが人を検知したときは、第一のＬＥＤモジュール２０ａを点灯させ、第二のセンサー４ｂが人を検知したときは、第二のＬＥＤモジュール２０ｂを点灯させる。
図１０は、例えば、第一のセンサー４ａが人を検知したときに、第一のＬＥＤモジュール２０ａを点灯した状態を示している。図１０の黒丸の一つ一つが点灯中のＬＥＤ２１を示す。このように点灯状態制御装置１１ｄは、検出信号を出力する複数のセンサー４の違いに応じてＬＥＤモジュールを選択し、選択したＬＥＤモジュールを点灯制御する。
【００４２】
図１１は、実施の形態３の照明器具１０３０を階段室に設置した場合を示す。照明器具１０３０の中央に配置された第一および第二のセンサー４ａ、４ｂをそれぞれ上階、下階の方向に向けることで、それぞれの第一または第二のセンサー４ａ、４ｂに対応した光源（第一または第二のＬＥＤモジュール２０ａ、２０ｂ）を点灯、消灯（または調光）させる。このように、上階、下階それぞれの人の存在に応じてＬＥＤ２１の点灯状態を制御することで、実施の形態１または実施の形態２に対して、更なる省エネを図ることができる。
【００４３】
このように、照明器具１０３０では、点灯状態制御装置１１ｄは、検出信号を出力するセンサー４ａ，４ｂに対して点灯させるＬＥＤモジュールが予め設定されている。すなわち、点灯状態制御装置１１ｄは、センサー４ａの検出によりＬＥＤモジュール２０ａを点灯し、センサー４ｂの検出によりＬＥＤモジュール２０ｂを点灯する。センサー４ａ，４ｂ対して設定されているＬＥＤモジュール２０ａ，２０ｂは、照明器具１０３０が階段室（所定の場所）に設定された場合に、所定の範囲を２ｌｘ（所定の照度）以上で照射する。ＬＥＤモジュールの点灯の元となる検出信号を出力するセンサー４ａ，あるいはセンサー４ｂは、それぞれＬＥＤモジュール２０ａ，２０ｂが照射する所定の範囲以上の範囲に存在する人を検知可能である。
【００４４】
実施の形態４．
図１２、図１３を用いて、実施の形態４の照明器具１０４０を説明する。実施の形態４の照明器具１０４０は、階段室において、照明器具が天井もしくは壁に取り付けられた場合に、照明器具から発せられる光を有効に利用することを目的としたものである。
【００４５】
図１２は、ＬＥＤの光を制御する方法の一例を示す照明器具１０４０の断面図である。図１２の（ａ），（ｂ）ともに、図３（ｃ）に相当する断面である。反射板１２ｂの形状及びＬＥＤモジュール２０の位置が図１２（ａ）の状態の場合は、上下方向の配光が対称形状となる。一方、反射板１２ｂ−１の形状及びＬＥＤモジュール２０の位置を図１２（ｂ）の形状とすることで、光を下方向へ強く出すことが可能となる。このような形状とする場合、反射板１２ｂ−１は、鏡面反射成分が多いことが望ましい。鏡面反射を実現する場合は、一般的に銀やアルミを蒸着する。照明器具１０４０の取り付け箇所（照明器具を設置する場所）に応じて、図１２（ｂ）に示すように、ＬＥＤ２１の配光を非対称にする方法を使用し、所望の配光を実現することが可能となる。配光制御を実施する手段は反射板によるもの以外では、レンズ等を使用してもよい。
【００４６】
また、センサー４の配置方法も上記方法により制御された配光形状に応じて取り付け角度を適宜変更することで、人の検知範囲を配光の変更と同様に実施することが可能である。
【００４７】
図１３は、階段室に照明器具１０４０を取り付けた状態を示している。
【００４８】
前述のように、照明器具１０４０から発せられる光は通常、照明器具１０４０の各軸（光源の配置方向に対し、並行方向、垂直方向）に対し対称形状となっていることが多い。階段室に照明器具１０４０が設置される場合、照明器具１０４０を天井につけた場合は階段とは逆方向の壁面、照明器具１０４０を壁面につけた場合は天井面に向かう光は床面を２ｌｘにする為にあまり有効に機能していない（反射がある場合は反射光が影響するが、ロスが発生する。）。実施の形態４の照明器具１０４０は、２つの反射板１２ｂ，１２ｂ−１を異なる形状にして、照明器具１０４０から発せられるＬＥＤ２１の光（配光）を制御しているので、有効に光を使用することができる。
【００４９】
以上の実施の形態の照明器具１０１１，１０１２，１０３０，１０４０によれば、照明器具の外観を損なわず、センサー破損の可能性が少なく、センサー検出範囲の調整が不要であり、不必要にＬＥＤが点灯せず、省エネを図ることができるＬＥＤ照明装置を提供できる。
【符号の説明】
【００５０】
１０１１，１０１２，１０２０，１０３０，１０４０  照明器具、１１  器具本体部、１１ａ  器具本体、１１ａ−１  電源穴、１１ａ−２  取付穴、１１ａ−３  カバー取付用穴、１１ａ−４  底面、１１ｂ  ＬＥＤ点灯装置、１１ｂ−１  ＬＥＤ用出力コネクタ、１１ｃ  電源端子台、１１ｄ  点灯状態制御装置、１１ｄ−１  センサー入力コネクタ、１２  カバー部、１２ａ  カバー、１２ｂ，１２ｂ−１  反射板、１２ｃ  センサー取付金具、１２ｄ  取付用ネジ、２０  ＬＥＤモジュール、２０−１  ＬＥＤ用入力コネクタ、２０ａ  第一のＬＥＤモジュール、２０ｂ  第二のＬＥＤモジュール、２１  ＬＥＤ、２２  基板、４  センサー、４−１  センサー出力コネクタ、４ａ  第一のセンサー、４ｂ  第二のセンサー、５  ＬＥＤ光源カバー。
【図１】
0005743714.tif 000002
【図２】
0005743714.tif 000003
【図３】
0005743714.tif 000004
【図４】
0005743714.tif 000005
【図５】
0005743714.tif 000006
【図６】
0005743714.tif 000007
【図７】
0005743714.tif 000008
【図８】
0005743714.tif 000009
【図９】
0005743714.tif 000010
【図１０】
0005743714.tif 000011
【図１１】
0005743714.tif 000012
【図１２】
0005743714.tif 000013
【図１３】
0005743714.tif 000014